(57)【要約】【課題】  ユーザの要求に応じて、特定の楽曲がユーザの使用する音楽再生装置で再生されたものであるか否かを判断することが可能な楽曲検索システムを提供すること。【解決手段】  再生された楽曲に関する再生楽曲情報が音楽プレーヤ３ａ〜３ｃから送信されると、再生リスト生成部１０４は再生楽曲情報と通信端末番号とを対応付けた再生リスト情報を再生リスト格納部１０６に格納する。検索を要求する楽曲に関する検索楽曲情報が通信端末２から送信されると、再生リスト特定部１２２は通信端末２の通信端末番号から再生リスト格納部１０６に格納された再生リスト情報を特定する。再生リスト特定部１２２により特定された再生リスト情報の中に、通信端末２により送信された検索楽曲情報に対応する再生楽曲情報が含まれているか否かを判断部１２４が判断すると、送信部１３６が判断の結果を通信端末２に送信する。【選択図】  図１
2005327042.tif 000002
【特許請求の範囲】
【請求項１】
ユーザが使用する音楽再生装置から、当該音楽再生装置において再生された楽曲に関する再生楽曲情報を受信する再生情報受信手段と、
当該受信した再生楽曲情報と前記ユーザを識別するためのユーザ識別情報とを対応付けた前記ユーザの再生リスト情報を生成する再生リスト生成手段と、
前記ユーザが使用する通信端末から、前記ユーザが検索を要求する楽曲に関する検索楽曲情報と前記ユーザ識別情報とを受信する検索情報受信手段と、
当該受信したユーザ識別情報に基づいて、前記リスト生成手段が生成した再生リスト情報を特定する再生リスト特定手段と、
当該特定した再生リスト情報の中に、前記検索楽曲情報に対応する再生楽曲情報が含まれているか否かを判断する判断手段と、
当該判断の結果を含む結果情報を前記通信端末に送信する送信手段と、
を備える、楽曲検索システム。
【請求項２】
前記検索楽曲情報には、各楽曲の特徴を複数の観点から把握するための特徴情報が含まれており、
前記特徴情報を楽曲ごとに格納する特徴格納手段と、
前記検索情報受信手段により受信された検索楽曲情報に含まれる特徴情報に基づいて、前記特徴情報格納手段に格納された特徴情報から前記検索楽曲情報に対応する楽曲の他の特徴情報を取得する特徴取得手段と、
を備え、
前記送信手段は、前記特徴取得手段により取得された特徴情報を前記結果情報に含ませて送信する、請求項１に記載の楽曲検索システム。
【請求項３】
前記特徴情報には各楽曲を識別するための楽曲識別子が対応付けられており、
前記楽曲識別子と当該楽曲識別子に対応する楽曲の検索履歴に関する履歴情報とを対応付けて格納する履歴情報格納手段と、
前記特徴取得手段により取得された特徴情報に対応する楽曲識別子に基づいて、前記履歴情報格納手段から前記履歴情報を取得する履歴取得手段と、
を備え、
前記送信手段は、前記履歴取得手段により取得された履歴情報を前記結果情報に含ませて送信する、請求項２に記載の楽曲検索システム。
【発明の詳細な説明】
【技術分野】
【０００１】
本発明は、楽曲検索システムに関するものである。
【背景技術】
【０００２】
近年、楽曲が記録される記録メディアの多様化に伴って、楽曲が再生される音楽再生装置も多様化してきている。このような記録メディアとしては、例えばＣＤやＭＤ、ＤＶＤ、メモリカードといったものがあり、音楽再生装置としては、例えばＣＤプレーヤやＭＤプレーヤ、ＤＶＤプレーヤ、ＭＰ３プレーヤといったものがある。なお、記録メディア及び音楽再生装置の多様化は文献公知発明にかかるものではないので、記載すべき先行技術文献情報はない。
【発明の開示】
【発明が解決しようとする課題】
【０００３】
ところで、世の中には膨大な数の楽曲が存在する。そのためユーザは、聞き覚えのある楽曲を外出先で耳にしたときに、その楽曲を自己の所有する種々の音楽再生装置を用いて聞いたことがあるのか、それとも、店舗や街中で流れていたのを聞いただけなのか、わからなくなることがある。
【０００４】
そこで本発明は、ユーザの要求に応じて、特定の楽曲がユーザの使用する音楽再生装置で再生されたものであるか否かを判断することが可能な楽曲検索システムを提供することを目的とする。
【課題を解決するための手段】
【０００５】
本発明の楽曲検索システムは、（１）ユーザが使用する音楽再生装置から、当該音楽再生装置において再生された楽曲に関する再生楽曲情報を受信する再生情報受信手段と、（２）当該受信した再生楽曲情報とユーザを識別するためのユーザ識別情報とを対応付けたユーザの再生リスト情報を生成する再生リスト生成手段と、（３）ユーザが使用する通信端末から、ユーザが検索を要求する楽曲に関する検索楽曲情報とユーザ識別情報とを受信する検索情報受信手段と、（４）当該受信したユーザ識別情報に基づいて、リスト生成手段が生成した再生リスト情報を特定する再生リスト特定手段と、（５）当該特定した再生リスト情報の中に、検索楽曲情報に対応する再生楽曲情報が含まれているか否かを判断する判断手段と、（６）当該判断の結果を含む結果情報を通信端末に送信する送信手段と、を備える。
【０００６】
本発明の楽曲検索システムによれば、再生楽曲情報を音楽再生装置から受信するので、音楽再生装置により再生された楽曲の情報を取得することができる。再生楽曲情報とユーザ識別情報とを対応付けた再生リスト情報を生成するので、複数のユーザが使用する複数の音楽再生装置から再生楽曲情報をそれぞれ受信した場合であっても、再生楽曲情報をユーザ毎にまとめておくことができる。通信端末から検索楽曲情報を受信するので、例えば、ユーザは店舗や街中といった外出先からでも楽曲の検索を要求することができる。ユーザの通信端末から受信したユーザ識別情報に基づいて再生リスト情報を特定するので、再生リスト情報が複数存在する場合であっても、ユーザの再生リスト情報を的確に抽出することができる。再生リスト情報の中に検索楽曲情報に対応する再生楽曲情報が含まれているか否かを判断するので、検索楽曲情報を検索キーとし、合致する再生楽曲情報をユーザ自身の再生リスト情報の中から検索することができる。
【０００７】
また、本発明の楽曲検索システムは、検索楽曲情報には、各楽曲の特徴を複数の観点から把握するための特徴情報が含まれており、特徴情報を楽曲ごとに格納する特徴格納手段と、検索情報受信手段により受信された検索楽曲情報に含まれる特徴情報に基づいて、特徴情報格納手段に格納された特徴情報から検索楽曲情報に対応する楽曲の他の特徴情報を取得する特徴取得手段と、を備え、送信手段は、特徴取得手段により取得された特徴情報を結果情報に含ませて送信することも好ましい。
【０００８】
検索楽曲情報に対応する楽曲の他の特徴情報を取得し、この特徴情報を結果情報に含ませるので、例えば検索楽曲情報に楽曲名のみが含まれている場合には、この楽曲の演奏者名やジャンルといった情報をユーザに提供することができる。よって、本発明の楽曲検索システムは、ユーザが検索を要求した楽曲に関する種々の情報を提供することができるという点で、有用なものとなる。
【０００９】
また、本発明の楽曲検索システムは、特徴情報には各楽曲を識別するための楽曲識別子が含まれており、楽曲識別子と当該楽曲識別子に対応する楽曲の検索履歴に関する履歴情報とを対応付けて格納する履歴情報格納手段と、特徴取得手段により取得された特徴情報に含まれる楽曲識別子に基づいて、履歴情報格納手段から履歴情報を取得する履歴取得手段と、を備え、送信手段は、履歴取得手段により取得された履歴情報を結果情報に含ませて送信することも好ましい。
【００１０】
特徴取得手段により取得された特徴情報に含まれる楽曲識別子に基づいて履歴情報を取得し、取得した履歴情報を結果情報に含ませるので、例えば、ユーザが検索を要求した楽曲は、他のユーザによってどのくらい頻繁に検索されているのか、といったような検索履歴に関連した情報をユーザに提供することができる。よって、本発明の楽曲検索システムは、楽曲に関する情報が得られるという点で更に有用なものとなる。
【発明の効果】
【００１１】
本発明によれば、ユーザの要求に応じて、特定の楽曲がユーザの使用する音楽再生装置で再生されたものであるか否かを判断することが可能となる。
【発明を実施するための最良の形態】
【００１２】
本発明の知見は、例示のみのために示された添付図面を参照して以下の詳細な記述を考慮することによって容易に理解することができる。引き続いて、添付図面を参照しながら本発明を実施するための形態を説明する。可能な場合には、同一の部分には同一の符号を付して、重複する説明を省略する。
【００１３】
本実施形態の楽曲検索システムについて図１を参照しながら説明する。図１は楽曲検索システムの構成を示す図である。楽曲検索システム１は、通信端末２及び音楽プレーヤ３ａ〜３ｃ（音楽再生装置）と、ネットワーク（図示せず）を介して接続されている。
【００１４】
通信端末２は、携帯電話や携帯情報端末といった情報通信端末であって、ＣＰＵ（中央処理装置）、メモリ等の記憶装置、通信装置、ボタン等の入力装置、ディスプレイ等の表示装置を備える。
【００１５】
音楽プレーヤ３ａ〜３ｃは、それぞれユーザが使用する音楽再生装置であって、より具体的にはＣＤプレーヤやＭＤプレーヤ、ＤＶＤプレーヤ、ＭＰ３プレーヤといったものである。音楽プレーヤ３ａ〜３ｃは、楽曲を再生すると、この楽曲のログを音楽プレーヤ３ａ〜３ｃがそれぞれ有するメモリ（図示せず）に格納する。楽曲のログには、各楽曲を識別するための楽曲ＩＤ（楽曲識別子）、楽曲名、演奏者名等の情報が含まれる。楽曲のログを格納した音楽プレーヤ３ａ〜３ｃは、再生楽曲情報を生成する。ここで、再生楽曲情報は、音楽プレーヤ３ａ〜３ｃにおいて再生された楽曲に関する情報であり、より具体的には楽曲ＩＤを含んでいる。音楽プレーヤ３ａ〜３ｃは、生成した再生楽曲情報を楽曲検索システム１に送信する。
【００１６】
楽曲検索システム１は、楽曲を検索するためのシステムであり、図１に示すように、楽曲登録部１０と、楽曲検索部１２と、を備えている。
【００１７】
楽曲登録部１０は、音楽プレーヤ３ａ〜３ｃにより再生された楽曲の情報を登録する部分である。楽曲登録部１０は、ユーザ情報格納部１００と、再生情報受信部１０２（再生情報受信手段）と、再生リスト生成部１０４（再生リスト生成手段）と、再生リスト格納部１０６と、を備えている。
【００１８】
ユーザ情報格納部１００は、ユーザ情報を格納する部分である。ここで、ユーザ情報とは、楽曲検索システム１を利用する際に必要な、ユーザに関する情報である。ユーザ情報は、ユーザが使用するＰＣ（図示せず）や通信端末２から、ネットワークを介して送信される。
【００１９】
図２は、ユーザ情報格納部１００に格納されているユーザ情報の例を示す図である。図２に示す例によれば、ユーザ情報は、ユーザの「ユーザＩＤ」、ユーザを認証するための「パスワード」、通信端末２を特定するための「通信端末番号」、及びユーザが使用する音楽プレーヤ３ａ〜３ｃそれぞれを特定するための「プレーヤＩＤ」を含んでいる。
【００２０】
再生情報受信部１０２は、音楽プレーヤ３ａ〜３ｃから送信された再生楽曲情報を受信する部分である。再生情報受信部１０２は、受信した再生楽曲情報を再生リスト生成部１０４に出力する。
【００２１】
再生リスト生成部１０４は、ユーザの再生リスト情報を生成する部分である。ここで、再生リスト情報は、再生楽曲情報とユーザが使用する通信端末２の通信端末番号とを対応付けたものであり、この通信端末番号はユーザを識別するためのユーザ識別情報として用いられる。より具体的には、再生リスト生成部１０４は、再生情報受信部１０２から、再生楽曲情報を受け取る。再生楽曲情報には、音楽プレーヤ３ａ〜３ｃそれぞれのプレーヤＩＤが付加されている。再生リスト生成部１０４は、このプレーヤＩＤと対応付けられたユーザ情報をユーザ情報格納部１００から抽出し、抽出したユーザ情報に含まれる通信端末番号を取得する。再生リスト生成部１０４は、取得した通信端末番号と再生情報受信部１０２から受け取った再生楽曲情報とを含む再生リスト情報を生成する。再生リスト生成部１０４は、生成した再生リスト情報を再生リスト格納部１０６に格納する。
【００２２】
図３は、再生リスト格納部１０６に格納されている再生リスト情報の例を示す図である。図３に示す例によれば、再生リスト情報は、「ユーザＩＤ」、「通信端末番号」、再生楽曲情報である「楽曲ＩＤ」のほかに、音楽プレーヤ３ａ〜３ｃによるこの楽曲ＩＤを含む再生楽曲情報の送信数を示す「再生回数」を含んでいる。
【００２３】
楽曲検索部１２は、楽曲の検索を行う部分である。楽曲検索部１２は、検索情報受信部１２０（検索情報受信手段）と、再生リスト特定部１２２（再生リスト特定手段）と、特徴格納部１２６（特徴格納手段）と、判断部１２４（判断手段）と、特徴取得部１２８（特徴取得手段）と、履歴取得部１３０（履歴取得手段）と、履歴情報格納部１３２（履歴情報格納手段）と、結果情報生成部１３４と、送信部１３６（送信手段）と、を備えている。
【００２４】
検索情報受信部１２０は、通信端末２から検索楽曲情報と通信端末番号とを受信する部分である。ここで、検索楽曲情報は、ユーザが検索を要求する楽曲に関する情報であり、特徴情報を含んでいる。特徴情報とは各楽曲の特徴を複数の観点から把握するための情報であり、より具体的には、楽曲名に関する情報、演奏者名に関する情報、楽曲の音声波形データに関する情報、及び楽曲のジャンルに関する情報が特徴情報に相当する。なお、検索楽曲情報は、楽曲名に関する情報、演奏者名に関する情報、楽曲の音声波形データに関する情報のいずれか少なくとも一つを含んでいる。検索情報受信部１２０は、受信した通信端末番号を再生リスト特定部１２２に出力し、受信した検索楽曲情報を判断部１２４及び特徴取得部１２８に出力する。
【００２５】
再生リスト特定部１２２は、通信端末２の通信端末番号に基づいて、再生リスト情報を特定する部分である。より具体的には、再生リスト特定部１２２は、検索情報受信部１２０により出力された通信端末番号を受け取る。そして、この通信端末番号を含む再生リスト情報を、再生リスト格納部１０６に格納されている再生リスト情報の中から特定する。再生リスト特定部１２２は、再生リスト情報を特定した旨を判断部１２４に通知する。
【００２６】
判断部１２４は、再生リスト特定部１２２により特定された再生リスト情報の中に、検索楽曲情報に対応する再生楽曲情報が含まれているか否かを判断する部分である。より具体的には、判断部１２４は、検索情報受信部１２０により出力された検索楽曲情報を受け取る。判断部１２４は、受け取った検索楽曲情報から特徴情報を取得し、この特徴情報と対応付けられた楽曲ＩＤを特徴格納部１２６から抽出する。
【００２７】
図４は、特徴格納部１２６に格納されている情報の例を示す図である。図４に示す例によれば、特徴格納部１２６には、「楽曲ＩＤ」と、特徴情報である「楽曲名」、「演奏者名」、「音声波形データ」、及び「ジャンル」とが対応付けて格納されている。「ジャンル」に相当する情報としては、ジャパニーズポップスや演歌、クラシックといったものが挙げられる。
【００２８】
特徴格納部１２６から楽曲ＩＤを抽出する一方で、判断部１２４は、再生リスト情報を特定した旨の通知を再生リスト特定部１２２から受け取る。そして、再生リスト特定部１２２により特定された再生リスト情報を参照し、上述のようにして得た楽曲ＩＤがこの再生リスト情報の中に含まれているか否かを判断する。取得した楽曲ＩＤが再生リスト情報の中に含まれていると判断した場合には、肯定を示す判断結果通知を送信部１３６に出力する。一方、判断部１２４は、取得した楽曲ＩＤが再生リスト情報の中に含まれていないと判断した場合には、否定を示す判断結果通知を結果情報生成部１３４に出力する。
【００２９】
特徴取得部１２８は、特徴格納部１２６に格納された特徴情報から、検索楽曲情報に対応する楽曲の他の特徴情報を取得する部分である。より具体的には、特徴取得部１２８は、検索情報受信部１２０により出力された検索楽曲情報を受け取る。そして、検索楽曲情報に含まれる特徴情報と対応付けられた、この特徴情報以外の特徴情報を特徴格納部１２６から取得する。つまり特徴取得部１２８は、例えば楽曲の音声波形データに関する情報を含む検索楽曲情報を受け取った場合には、楽曲名に関する情報、演奏者名に関する情報、及び楽曲のジャンルに関する情報を特徴格納部１２６から取得する。特徴取得部１２８は、取得した特徴情報を結果情報生成部１３４に出力する。また、特徴取得部１２８は、取得した特徴情報と対応付けられた楽曲ＩＤを履歴取得部１３０に出力する。
【００３０】
履歴取得部１３０は、楽曲ＩＤに基づいて、履歴情報格納部１３２から履歴情報を取得する部分である。ここで、履歴情報とは、楽曲の検索履歴に関するものである。より具体的には、履歴取得部１３０は、特徴取得部１２８により出力された楽曲ＩＤを受け取り、この楽曲ＩＤに対応した履歴情報を履歴情報格納部１３２から取得する。履歴取得部１３０は、取得した履歴情報を結果情報生成部１３４に出力する。
【００３１】
図５は、履歴情報格納部１３２に格納されている情報の例を示す図である。図５に示す例によれば、履歴情報格納部１３２は、「楽曲ＩＤ」とともに、履歴情報として、楽曲検索システム１を利用する全てのユーザによる検索回数を示す「全検索回数」、全検索回数に基づくこの楽曲の順位を示す「ランキング」と、この楽曲を過去に検索したユーザのユーザＩＤを示す「検索ユーザ」と、を格納している。
【００３２】
結果情報生成部１３４は、結果情報を生成する部分である。より具体的には、結果情報生成部１３４は、判断部１２４により出力された判断結果通知と、特徴取得部１２８により出力された特徴情報と、履歴取得部１３０により出力された履歴情報と、を含む結果情報を生成する。結果情報生成部１３４は、生成した結果情報を送信部１３６に出力する。
【００３３】
送信部１３６は、結果情報を通信端末２に送信する部分である。より具体的には、送信部１３６は、結果情報生成部１３４により出力された結果情報を受け取る。そして、受け取った結果情報を、ネットワークを介して通信端末２に送信する。
【００３４】
続いて、本実施形態における楽曲検索システム１の動作について説明する。
【００３５】
図６は、楽曲検索システム１の処理を示すシーケンス図である。音楽プレーヤ３ａ〜３ｃにおいて楽曲がそれぞれ再生されると（ステップＳ６０）、この楽曲の楽曲ＩＤを含む再生楽曲情報が、音楽プレーヤ３ａ〜３ｃから送信される（ステップＳ６１）。
【００３６】
楽曲検索システム１の楽曲登録部１０の再生情報受信部１０２は、音楽プレーヤ３ａ〜３ｃにより送信された再生楽曲情報を受信し（ステップＳ６２）、受信した再生楽曲情報を再生リスト生成部１０４に出力する。再生リスト生成部１０４は、再生楽曲情報を受け取ると、この再生楽曲情報に付加されたプレーヤＩＤを含むユーザ情報をユーザ情報格納部１００から抽出し、抽出したユーザ情報に含まれる通信端末番号を取得する。そして、取得した通信端末番号と受信した再生楽曲情報とを含む再生リスト情報を生成し（ステップＳ６３）、生成した再生リスト情報を再生リスト格納部１０６に格納する。
【００３７】
ユーザによって、検索を要求する楽曲の楽曲名、演奏者名、及び楽曲の音声の少なくともいずれか一つが通信端末２に入力されると（ステップＳ６４）、楽曲名に関する情報、演奏者名に関する情報、及び楽曲の音声波形データに関する情報の少なくともいずれか一つを特徴情報として含む検索楽曲情報と通信端末２の通信端末番号とが、楽曲検索システム１に対して通信端末２から送信される（ステップＳ６５）。
【００３８】
楽曲検索システム１の検索情報受信部１２０は、検索楽曲情報と通信端末２の通信端末番号とを受信する（ステップＳ６６）。検索情報受信部１２０は、受信した通信端末番号を再生リスト特定部１２２に出力し、受信した検索楽曲情報を判断部１２４及び特徴取得部１２８に出力する。
【００３９】
再生リスト特定部１２２は、再生リスト格納部１０６を参照し、検索情報受信部１２０により出力された通信端末番号を含む再生リスト情報を特定する（ステップＳ６７）。そして、再生リスト情報を特定した旨を判断部１２４に通知する。再生リスト情報を特定した旨の通知を受けた判断部１２４は、検索情報受信部１２０により出力された検索楽曲情報に含まれる、楽曲名、演奏者名、及び楽曲の音声波形データ、に関する情報に基づいて、特徴格納部１２６から特徴情報を取得し、この特徴情報に対応付けられた楽曲ＩＤを抽出する。そして、抽出した楽曲ＩＤが、再生リスト特定部１２２により特定された再生リスト情報に含まれているか否かを判断する（ステップＳ６８）。判断部１２４は、上述の楽曲ＩＤが上述の再生リスト情報に含まれている場合には肯定を示す判断結果通知を、含まれていない場合には否定を示す判断結果通知を、結果情報生成部１３４に対してそれぞれ出力する。
【００４０】
特徴取得部１２８は、検索情報受信部１２０により出力された検索楽曲情報を受け取る。そして、検索楽曲情報に含まれる特徴情報に基づいて、特徴格納部１２６に格納された他の特徴情報を取得する（ステップＳ６９）。特徴取得部１２８は、取得した特徴情報を結果情報生成部１３４に出力するとともに、この特徴情報に対応付けられた楽曲ＩＤを履歴取得部１３０に出力する。履歴取得部１３０は、特徴取得部１２８により出力された楽曲ＩＤを受け取ると、この楽曲ＩＤに対応した履歴情報を履歴情報格納部１３２から取得し（ステップＳ７０）、取得した履歴情報を結果情報生成部１３４に出力する。
【００４１】
結果情報生成部１３４は、判断部１２４によって出力された判断結果通知と、特徴取得部１２８によって出力された特徴情報と、履歴取得部１３０によって出力された履歴情報と、を含む結果情報を生成する（ステップＳ７１）。結果情報生成部１３４は、生成した結果情報を送信部１３６に出力する。送信部１３６は、結果情報生成部１３４により出力された結果情報を通信端末２に送信する（ステップＳ７２）。
【００４２】
送信部１３６により送信された結果情報は、通信端末２により受信されて表示される（ステップＳ７３）。図７は、結果情報を受信した通信端末２の表示画面を示す図である。
【００４３】
図７に示すように、通信端末２の表示画面には、「あなたはこの楽曲を音楽プレーヤで聞いています」のメッセージが表示される。なおこのメッセージは、肯定を示す判断結果通知に対応したものであり、否定を示す判断結果通知に対応したメッセージは「あなたはこの楽曲を音楽プレーヤで聞いていません」となる。また、通信端末２の表示画面には、図７に示すように特徴情報として「楽曲名」及び「演奏者名」、履歴情報として「ランキング」、が表示される。その他、通信端末２の表示画面には、音楽プレーヤ３ａ〜３ｃにおけるこの楽曲の再生回数を示す「再生回数」が表示される。表示される再生回数は、この楽曲の楽曲ＩＤと対応付けられて再生リスト格納部１０６に格納されている再生回数である。また、通信端末２の表示画面には、「オススメ曲」として、検索が要求された楽曲以外の楽曲名及び演奏者名が表示される。「オススメ曲」として表示される楽曲名及び演奏者名は、特徴格納部１２６に格納されている、検索が要求された楽曲と同じジャンルを有する楽曲の楽曲名及び演奏者名である。
【００４４】
本実施形態の作用効果について説明する。上述のように、楽曲検索システム１の再生リスト生成部１０４が、音楽プレーヤ３ａ〜３ｃから送信された再生楽曲情報とユーザが使用する通信端末２の通信端末番号とを対応付けた再生リスト情報を生成し、生成した再生リスト情報を再生リスト格納部１０６に格納する。これにより、複数のユーザが使用する複数のプレーヤから再生楽曲情報をそれぞれ受信した場合であっても、再生楽曲情報をユーザ毎にまとめておくことができる。検索情報受信部１２０が検索楽曲情報を通信端末２から受信する。これにより、ユーザは店舗や街中といった所からでも楽曲の検索を要求することができる。再生リスト特定部１２２は通信端末２の通信端末番号に基づいて再生リストを特定し、判断部１２４はこの再生リスト情報の中に検索楽曲情報に対応する再生楽曲情報が含まれているか否かを判断する。これにより、検索楽曲情報を検索キーとし、この検索キーと合致する再生楽曲情報をユーザ自身の再生リスト情報の中から検索することができる。したがって、ユーザの要求に応じて、特定の楽曲がユーザの使用する音楽再生装置で再生されたものであるか否かを判断することが可能となる。
【００４５】
なお、本発明は上述した実施の形態に限定されるものではなく、種々の変形が可能である。
【００４６】
例えば、結果情報生成部１３４は、履歴情報格納部１３２に格納された履歴情報に基づいて、この楽曲を検索した他のユーザが、他にどのような楽曲を検索したのか、といった情報を結果情報に含める、としてもよい。このような結果情報を受信した通信端末２の表示画面には、「この楽曲を検索した人は、このような楽曲も検索しています」というメッセージとともに、他のユーザにより検索された楽曲の楽曲名や演奏者名が表示される。
【００４７】
また、本実施形態では、ユーザ識別情報として通信端末番号を用いたが、ユーザ識別情報としてメールアドレスを用いる、としてもよい。この場合、ユーザ情報格納部１００には、通信端末番号の代わりにメールアドレスが格納されることになる。
【００４８】
なお、本実施形態では、音楽プレーヤ３ａ〜３ｃを備えているが、備えることができるプレーヤの数はこの限りではない。
【図面の簡単な説明】
【００４９】
【図１】楽曲検索システムの構成を示す図である。
【図２】ユーザ情報格納部に格納されているユーザ情報の例を示す図である。
【図３】再生リスト格納部に格納されている再生リスト情報の例を示す図である。
【図４】特徴格納部に格納されている情報の例を示す図である。
【図５】履歴情報格納部１３２に格納されている情報の例を示す図である。
【図６】楽曲検索システムの処理を示すシーケンス図である。
【図７】結果情報を受信した通信端末の表示画面を示す図である。
【符号の説明】
【００５０】
１・・・楽曲検索システム、２・・・通信端末、１０２・・・再生情報受信部、１０４・・・再生リスト生成部、１２０・・・検索情報受信部、１２２・・・再生リスト特定部、１２４・・・判断部、１２６・・・特徴格納部、１２８・・・特徴取得部、１３０・・・履歴取得部、１３２・・・履歴情報格納部、１３６・・・送信部、３ａ〜３ｃ・・・音楽プレーヤ。
【図１】
2005327042.tif 000003
【図２】
2005327042.tif 000004
【図３】
2005327042.tif 000005
【図４】
2005327042.tif 000006
【図５】
2005327042.tif 000007
【図６】
2005327042.tif 000008
【図７】
2005327042.tif 000009